(57)【要約】      （修正有）【課題】主軸を水平に延在させて設置された時にハウジング内部空間の下部に溜まったオイルが有効活用される電動式スクロール型圧縮機を提供する。【解決手段】固定スクロールと、可動スクロールと、回転運動を旋回運動に変換する運動変換機構と、不平衡力を打ち消すカウンターウェイトと、可動スクロールの自転を防止する自転防止機構とを有する圧縮機構と、運動変換機構に回転を伝達する主軸と、主軸を回転駆動するモータと、圧縮機構と主軸とモータとを収容するハウジングとを備え、主軸の圧縮機構側の端部を回転可能に支持するセンタープレートがハウジング内に配設され、カウンターウェイトを収容するボス部がセンタープレートに形成されたスクロール型圧縮機であって、主軸を水平に延在させて圧縮機を設置した時に前記ボスの内周面とカウンターウェイトとの間の隙間とハウジング内部空間の下部とを連通させる通路がセンタープレートに形成されている。【選択図】  図１
2007192183.tif 000002
【特許請求の範囲】
【請求項１】
中心部に吐出孔が形成された端板と端板に立設された渦巻体とを有する固定スクロールと、端板と端板に立設され固定スクロールの渦巻体と噛み合って複数対の作動空間を形成する渦巻体とを有する可動スクロールと、回転運動を旋回運動に変換して可動スクロールに伝達する運動変換機構と、運動変換機構の旋回運動に同期して回転し運動変換機構が発生させる不平衡力を打ち消すカウンターウェイトと、可動スクロールの自転を防止する自転防止機構とを有する圧縮機構と、運動変換機構に回転を伝達する主軸と、主軸を回転駆動するモータと、圧縮機構と主軸とモータとを収容するハウジングとを備え、主軸の圧縮機構側の端部を回転可能に支持するセンタープレートがハウジング内に配設され、カウンターウェイトを収容するボス部がセンタープレートに形成された電動式スクロール型圧縮機であって、主軸を水平に延在させて圧縮機を設置した時に前記ボスの内周面とカウンターウェイトとの間の隙間とハウジング内部空間の下部とを連通させる通路がセンタープレートに形成されていることを特徴とする電動式スクロール型圧縮機。
【請求項２】
前記通路は、ハウジング内部空間の下部のセンタープレートよりもモータ寄りの部位に連通していることを特徴とする請求項１に記載の電動式スクロール型圧縮機。
【請求項３】
前記通路は、ハウジング内部空間の下部のセンタープレートよりも圧縮機構側の部位に連通していることを特徴とする請求項１に記載の電動式スクロール型圧縮機。
【発明の詳細な説明】
【技術分野】
【０００１】
本発明は電動式スクロール型圧縮機に関するものである。
【背景技術】
【０００２】
中心部に吐出孔が形成された端板と端板に立設された渦巻体とを有する固定スクロールと、端板と端板に立設され固定スクロールの渦巻体と噛み合って複数対の作動空間を形成する渦巻体とを有する可動スクロールと、回転運動を旋回運動に変換して可動スクロールに伝達する運動変換機構と、運動変換機構の旋回運動に同期して回転し運動変換機構が発生させる不平衡力を打ち消すカウンターウェイトと、可動スクロールの自転を防止する自転防止機構とを有する圧縮機構と、運動変換機構に回転を伝達する主軸と、主軸を回転駆動するモータと、圧縮機構と主軸とモータとを収容するハウジングとを備え、主軸の圧縮機構側の端部を回転可能に支持するセンタープレートがハウジング内に配設され、カウンターウェイトを収容するボス部がセンタープレートに形成された電動式スクロール型圧縮機が特許文献１等に開示されている。
【特許文献１】特開平６−２３５３８８号公報
【発明の開示】
【発明が解決しようとする課題】
【０００３】
従来の電動式スクロール型圧縮機においては、主軸を水平に延在させて圧縮機を設置した時にハウジング内部空間の下部に溜まったオイルが有効活用されていないという問題があった。
本発明は上記問題に鑑みてなされたものであり、主軸を水平に延在させて設置された時にハウジング内部空間の下部に溜まったオイルが有効活用される電動式スクロール型圧縮機を提供することを目的とする。
【課題を解決するための手段】
【０００４】
上記課題を解決するために、本発明においては、中心部に吐出孔が形成された端板と端板に立設された渦巻体とを有する固定スクロールと、端板と端板に立設され固定スクロールの渦巻体と噛み合って複数対の作動空間を形成する渦巻体とを有する可動スクロールと、回転運動を旋回運動に変換して可動スクロールに伝達する運動変換機構と、運動変換機構の旋回運動に同期して回転し運動変換機構が発生させる不平衡力を打ち消すカウンターウェイトと、可動スクロールの自転を防止する自転防止機構とを有する圧縮機構と、運動変換機構に回転を伝達する主軸と、主軸を回転駆動するモータと、圧縮機構と主軸とモータとを収容するハウジングとを備え、主軸の圧縮機構側の端部を回転可能に支持するセンタープレートがハウジング内に配設され、カウンターウェイトを収容するボス部がセンタープレートに形成された電動式スクロール型圧縮機であって、主軸を水平に延在させて圧縮機を設置した時に前記ボスの内周面とカウンターウェイトとの間の隙間とハウジング内部空間の下部とを連通させる通路がセンタープレートに形成されていることを特徴とする電動式スクロール型圧縮機を提供する。
本発明に係る電動式スクロール型圧縮機においては、主軸を水平に延在させて設置された圧縮機の運転時にカウンターウェイトが回転して、ボスの内周面とカウンターウェイトとの間の隙間に負圧が形成されると、ハウジング内部空間の下部に連通する通路を介して、ハウジング内部空間の下部に溜まったオイルがボスの内周面とカウンターウェイトとの間の隙間に吸引され、回転するカウンターウェイトによって巻き上げられ、運動変換機構や自転防止機構やスクロールの摺動部に供給されて、該部を潤滑する。この結果、主軸を水平に延在させて設置された時にハウジング内部空間の下部に溜まったオイルが有効活用される。
【０００５】
本発明の好ましい態様においては、前記通路は、ハウジング内部空間の下部のセンタープレートよりもモータ寄りの部位に連通している。
本発明の好ましい態様においては、前記通路は、ハウジング内部空間の下部のセンタープレートよりも圧縮機構側の部位に連通している。
ハウジング内部空間の下部のセンタープレートよりも圧縮機構側の部位にも、センタープレートよりも圧縮機構側の部位にも、オイルは溜まるので、何れの部位からボスの内周面とカウンターウェイトとの間の隙間にオイルを吸引しても良い。
【発明の効果】
【０００６】
本発明により、主軸を水平に延在させて設置された時にハウジング内部空間の下部に溜まったオイルが有効活用される電動式スクロール型圧縮機が提供される。
【発明を実施するための最良の形態】
【０００７】
本発明の実施例に係る電動式スクロール型圧縮機を説明する。
図１に示すように、電動式スクロール型圧縮機Ａは、中心に吐出孔１ａが形成された端板と渦巻体とを有する固定スクロール１と、端板と渦巻体とを有する可動スクロール２とを備えている。固定スクロール１の渦巻体と可動スクロール２の渦巻体とは互いに噛み合い、複数対の作動空間３を形成している。
主軸４と、主軸４の回転運動を旋回運動に変換して可動スクロール２に伝達する運動変換機構５と、可動スクロール２の自転を防止する自転防止機構６とが配設されている。運動変換機構５の旋回運動に同期して回転し運動変換機構５が発生させる不平衡力を打ち消すカウンターウェイ７が、運動変換機構５に隣接して主軸４に固定されている。固定スクロール１と、可動スクロール２と、運動変換機構５と、自転防止機構６と、カウンターウェイ７とにより圧縮機構８が構成されている。
主軸４を回転駆動する電動モータ９が配設されている。
圧縮機構８と主軸４と電動モータ９とを収容するハウジング１０が配設されている。電動モータ９のリード線と外部電源に接続された密封端子との接続部を収容するための開口部１０ａがハウジング１０に形成されている。開口部１０ａは密封端子を取り付けた蓋部材で密閉される。
【０００８】
主軸４の圧縮機構８側の端部を回転可能に支持するセンタープレート１１がハウジング１０内に配設されている。
センタープレート１１を境にして、ハウジング１０内に、電動モータ７と主軸４とを収容すると共に開口１０ａを含む第１区画１２ａと、圧縮機構８を収容する第２区画１２ｂとが形成されている。ハウジング１０の第１区画１２ａに対峙する部位に吸入ポート１３が形成されている。第２区画１２ｂは、固定スクロール１の端板を境にして吸入室１４と吐出室１５とに区画されている。吸入室１４はセンタープレート１１に形成された開口１１ａを介して第１区画１２ａに連通している。ハウジング１０の吐出室１５に対峙する部位に吐出ポート１６が形成されている。
【０００９】
カウンターウェイト７を収容するボス部１１ａがセンタープレート１１に形成されている。主軸４を水平に延在させて圧縮機Ａを設置した時にボス部１１ａの内周面とカウンターウェイト７外周面の回転軌跡との間の隙間１７とハウジング１０の内部空間の下部、より具体的には第１区画１２ａの下部とを連通させる通路１８がセンタープレート１１に形成されている。通路１８は、隙間１７の主軸中心軸線Ｘの鉛直下方に位置する部位から鉛直下方へ延びる孔１８ａと、ハウジング１０の内周面に当接するセンタープレート１１外周面の主軸中心軸線Ｘの鉛直下方に位置する部位に形成された溝１８ｂとにより構成されている。
【００１０】
本実施例に係る電動圧縮機Ａにおいては、電動モータ９により主軸４が回転駆動される。主軸４の回転は、運動変換機構５を経て旋回運動に変換され、可動スクロール２に伝達される。可動スクロール２の自転は自転阻止機構６により阻止される。カウンターウェイト７が運動変換機構５の旋回運動に同期して回転することにより、運動変換機構５が発生させた不平衡力が打ち消される。
可動スクロール２が旋回することにより、空調装置の低圧側回路から吸入ポート１３と第１区画１２ａと開口１１ａとを経て吸入室１４へ流入した冷媒ガスが、渦巻体の径方向外方から一対の作動空間３へ取り込まれる。前記一対の作動空間３は、体積を減少させつつ渦巻体の中心部へ向けて移動し、最終的に相互に連通して吐出孔１ａに連通する。作動空間３内で圧縮された冷媒ガスは、吐出孔１ａを開閉する吐出弁を経て吐出室１５に吐出し、吐出ポート１６を通って、空調装置の高圧側回路へ流出する。
【００１１】
主軸４を水平に延在させて設置された圧縮機Ａの運転時にカウンターウェイト７が回転して、ボス部１１ａの内周面とカウンターウェイト７との間の隙間１７に負圧が形成されると、隙間１７と第１区画１２ａの下部とに連通する通路１８を介して、第１区画１２ａの下部に溜まったオイルが隙間１７へ吸引され、回転するカウンターウェイト７によって巻き上げられ、運動変換機構５や自転防止機構６やスクロールの摺動部に供給されて、該部を潤滑する。この結果、主軸４を水平に延在させて圧縮機Ａが設置された時に第１区画１２ａの下部に溜まったオイルが有効活用される。
【００１２】
図２に示すように、孔１８ａから分岐しての吸入室１４の下部に連通する孔１８ｃを、通路１８に追加してセンタープレート１１に形成しても良い。吸入室１４の下部に溜まったオイルを隙間１７へ吸引して、運動変換機構５や自転防止機構６やスクロールの摺動部に供給することができる。この結果、主軸４を水平に延在させて圧縮機Ａが設置された時に吸入室１４の下部に溜まったオイルが有効活用される。
【００１３】
通路１８の配設位置は、主軸４中心軸線Ｘの鉛直下方に限定されない。隙間１７とオイルが溜まるハウジング１０の内部空間の下部、より具体的には主軸４を水平に延在させて圧縮機Ａが設置された時に主軸中心軸線Ｘより下方になる部位とを連通させることができる位置に配設すれば良い。
【産業上の利用可能性】
【００１４】
本発明は電動式スクロール型圧縮機に広く利用可能である。
【図面の簡単な説明】
【００１５】
【図１】本発明の実施例に係る電動式スクロール型圧縮機の断面図である。
【図２】本発明の他の実施例に係る電動式スクロール型圧縮機の断面図である。
【符号の説明】
【００１６】
１  固定スクロール
２  可動スクロール
３  作動空間
５  運動変換機構
６  自転防止機構
７  カウンターウェイト
８  圧縮機構
９  電動モータ
１０  ハウジング
１１  センタープレート
１２ａ  第１区画
１２ｂ  第２区画
１４  吸入室
１５  吐出室
１７  隙間
１８  通路
１８ａ、１８ｃ  孔
１８ｂ  溝
【図１】
2007192183.tif 000003
【図２】
2007192183.tif 000004